(57)【特許請求の範囲】
【請求項１】
耕耘爪軸１２上に放射状にホルダー１４を固設し、該ホルダー１４に挿入孔１４ａを開口し、該挿入孔１４ａは平面視略菱形に形成され、該挿入孔１４ａの長手方向の左右側面の前後中央部に、左右側面を外側に凹状とするガイド溝１４ｂを形成し、該ガイド溝１４ｂに延設して前後に当接面１４ｃ・１４ｃを形成し、
該ガイド溝１４ｂは、平面視において前後方向の長さＬとし、該ガイド溝１４ｂに延設される当接面１４ｃのテーパの角度は、挿入孔１４ａの長手方向を基準として角度θ内側に傾斜形成し、
耕耘爪１３の基部に、平面視で長手方向に対して、左右の側面の前後方向中央部に食い込み部１３ａを構成し、該食い込み部１３ａを前記当接面１４ｃ・１４ｃに食い込ませて耕耘爪を保持する構成において、
前記食い込み部１３ａは、長手方向の両側の前後位置に食い込み面１３ｂ・１３ｂを構成し、食い込み面１３ｂ・１３ｂの間の前後方向の中央部を、耕耘爪の長手方向と平行な被ガイド部１３ｃに構成し、
前記食い込み面１３ｂのテーパの角度は、長手方向を基準として角度θに形成し、耕耘爪１３基部を挿入孔１４ａに挿入した際に、食い込み面１３ｂと当接面１４ｃとを平行状に構成し、
前記食い込み部１３ａの平面視における長手方向の長さｍは、前記挿入孔１４ａのガイド溝１４ｂの長さＬより若干短く形成したことを特徴とする耕耘爪の保持構成。
【発明の詳細な説明】
【０００１】
【発明の属する技術分野】
本発明は、耕耘爪軸の外周面上に固設するホルダーにワンタッチで装着する耕耘爪を安定して支持する構成に関する。
【０００２】
【従来の技術】
従来から、トラクターや耕耘機の後部にロータリ耕耘装置を付設して耕耘作業を行っていた。
このロータリ耕耘装置は、複数個の耕耘爪を固設する回転軸を回転駆動させることによって耕耘を行うものであり、耕耘爪は通常ナタ爪を用いて、耕耘爪軸上に略一定間隔をおいて、放射状にホルダーを植設し、該ホルダー内に耕耘爪の基部を挿入し、支持ピンで係止する着脱の容易な構成としていた。
また、耕耘爪を安定してホルダー内に保持する構成として、ホルダーの左右側部板を耕耘爪の形状に合わせて屈曲して形成し、左右の側部板を溶接によって固着して耕耘爪をホルダー内に安定して支持していたが、耕耘爪の着脱が困難なものであった。
更に、耕耘爪の基部の左右側面を凹状に凹ませて形成し、ホルダー側の左右側面に耕耘爪の凹状に略一致するように形成し、耕耘爪の側面を平面視で四点をホルダーの側面に食い込まして安定して保持する技術も公知となっている。
【０００３】
【発明が解決しようとする課題】
しかし、従来の耕耘爪の着脱構成において、耕耘爪の側面を平面視で四点で支持する構成は、耕耘爪の装着は容易であるが、耕耘爪を保持する力は弱いものであった。
また、図９〜図１１に示すように、該耕耘爪１３を挿入するホルダー側挿入孔１４ａの平面形状を略菱形に形成し、左右側面を内側より外側に向けて左右幅を狭くするテーパ状の当接面１４ｂを形成する一方、耕耘爪１３基部の左右側面の中央位置に外側方向に凸状とする食い込み部１３ａを形成し、該耕耘爪１３基部をホルダーの挿入孔１４ａ内に挿入することで、食い込み部の角部が挿入孔１４ａ内のテーパ状の当接面１４ｂに食い込むことで耕耘爪１３を保持する構成としていた。
この食い込んだ部分は、図１１に示す平面視のように、角部による点接点となっており、当接面によって当接される範囲が、図１０に示すように耕耘爪１３基部に対して狭い面積となっていた。
従って、この耕耘爪１３を圃場内に打ち込んだ時に耕耘抵抗が小さいと、耕耘爪１３が外れたり、耕耘爪１３が傾むくなど、耕耘爪１３を安定して支持することができないものとなり、耕耘性能の悪くなるものとなっていた。
【０００４】
【課題を解決するための手段】
本発明は、以上の如き課題を解決するために、次のような手段を用いるものである。
耕耘爪軸１２上に放射状にホルダー１４を固設し、該ホルダー１４に挿入孔１４ａを開口し、該挿入孔１４ａは平面視略菱形に形成され、挿入孔１４ａの長手方向の左右側面の前後中央部に、左右側面を外側に凹状とするガイド溝１４ｂを形成し、該ガイド溝１４ｂに延設して前後に当接面１４ｃ・１４ｃを形成し、該ガイド溝１４ｂは、平面視において前後方向の長さＬとし、該ガイド溝１４ｂに延設される当接面１４ｃのテーパの角度は、挿入孔１４ａの長手方向を基準として角度θ内側に傾斜形成し、耕耘爪１３の基部に、平面視で長手方向に対して、左右の側面の前後方向中央部に食い込み部１３ａを構成し、該食い込み部１３ａを前記当接面１４ｃ・１４ｃに食い込ませて耕耘爪を保持する構成において、前記食い込み部１３ａは、長手方向の両側の前後位置に食い込み面１３ｂ・１３ｂを構成し、食い込み面１３ｂ・１３ｂの間の前後方向の中央部を、耕耘爪の長手方向と平行な被ガイド部１３ｃに構成し、前記食い込み面１３ｂのテーパの角度は、長手方向を基準として角度θに形成し、耕耘爪１３基部を挿入孔１４ａに挿入した際に、食い込み面１３ｂと当接面１４ｃとを平行状に構成し、前記食い込み部１３ａの平面視における長手方向の長さｍは、前記挿入孔１４ａのガイド溝１４ｂの長さＬより若干短く形成したものである。
【０００５】
【発明の実施の形態】
本発明の構成の実施例を添付の図面を用いて説明する。
図１は本発明の耕耘爪を配置したロータリ耕耘装置の平面図、図２は耕耘爪の側面図、図３は同じく平面図、図４は耕耘爪を保持するホルダーの側面図、図５は同じくホルダーの平面図、図６は本発明の耕耘爪基部の平面図、図７はホルダーに挿入した耕耘爪基部を示す側面図部分断面図、図８はホルダーに挿入した耕耘爪基部を示す部分平面図、図９は従来の耕耘爪の基部を示す側面図、図１０はホルダーに挿入した従来の耕耘爪基部を示す側面図部分断面図、図１１はホルダーに挿入した従来の耕耘爪基部を示す部分平面断面図である。
【０００６】
トラクタや耕耘機に装着するサイドドライブ型のロータリ耕耘装置Ａに耕耘爪１３・１３・・・をワンタッチで装着する実施例について図１より説明する。
ロータリ耕耘装置Ａは中央上部にギアボックス１を配置して、該ギアボックス１より前方に入力軸２を突出し、該入力軸２にユニバーサルジョイントやドライブ軸を介して本機のＰＴＯ軸と連結して動力を伝えるようにしている。前記ギアボックス１の側面より両側方にビーム３・３を突出し、該ビーム３・３上のギアボックス３１両側に支持プレートを固設し、該支持プレートの前端にはロアリンクを枢結するピンを突設し、後端にはデプスフレームの前端を枢支するように構成している。
【０００７】
前記一側のビーム３の外側端にチェーンケース１０上部が固設され、他側ビーム３の他端に図示しないサイドサポートを固設し、該チェーンケース１０下部とサイドサポートの下部の間に耕耘爪軸１２が横架され、該耕耘爪軸１２上に、側面視で放射状にナタ爪よりなる多数の耕耘爪１３・１３・・・が植設され、該耕耘爪１３の回転軌跡の上方が耕耘カバーによって覆われ、両側はサイドカバーによって覆われている。
そして、該耕耘爪軸１２は前記入力軸２よりギアボックス１内のベベルギア２３・２４、ビーム３内の伝動軸２５、チェーンケース１０内のスプロケット２６・２７、チェーン２８を介して駆動され、耕耘爪１３・１３・・・が回転されることによって耕耘が可能とされている。
【０００８】
次に、耕耘爪１３の取付構成について説明する。
本実施例ではホルダータイプで、耕耘爪軸１２の外周上にホルダー１４・１４・・・が突設され、該ホルダー１４・１４・・・に耕耘爪１３が挿入されている。該ホルダー１４・１４・・は側面視放射状に、左右（軸）方向には略一定間隔をあけて突出されている。前記ホルダー１４の挿入孔内に、ナタ爪よりる耕耘爪１３の基部が挿入され、該耕耘爪１３基部とホルダー１４側面を貫通する支持ピン１５が挿入され、耕耘爪１３が装着されている。該耕耘爪１３は、図２、図３に示すように切り込んでから土を反転させるために先端部は、右又は左に湾曲させており、この湾曲方向は耕耘作業の種類によって取付時に変更される。図３は左側に湾曲させた耕耘爪１３を示している。
【０００９】
前記ホルダー１４の挿入孔１４ａは、耕耘爪１３基部より大きく形成され、容易に挿入若しくは抜脱するようにし、作業時には、耕耘爪１３が挿入孔１４ａ内に挟持されるようにしている。
即ち、図４、図５に示すように、前記挿入孔１４ａは平面視略菱形に形成され、挿入孔１４ａの左右側面（図４の紙面上の左右両側の側面）の中央部に、左右側面を外側に凹状とするガイド溝１４ｂ・１４ｂが形成され、該ガイド溝１４ｂ・１４ｂを耕耘爪１３の挿入方向に形成している。平面視において前記ガイド溝１４ｂの長さ（挿入孔１４ａの長手方向に対する長さ）を長さＬとしている。
【００１０】
また、前記挿入孔１４ａ左右側面には、ガイド溝１４ｂの両端（図５の紙面上のガイド溝１４ｂの前後端部）より外側の途中位置（図５の上下方向の途中位置）までの範囲で、外側に向かって左右側面の間隔を短くするテーパ状の当接面１４ｃ・１４ｃが形成されている。該当接面１４ｃのテーパは、図５に示す平面視のように、挿入孔１４ａの長手方向を基準として角度θ内側に傾かせて形成したものである。前記当接面１４ｃより更に外側には、当接面１４ｃのテーパ角度θより角度が大きい被装面１４ｄが形成されている。
【００１１】
一方、図２、図６に示すように、前記耕耘爪１３基部の左右側面の中央部に左右外側に向かって凸状とする食い付き部１３ａ・１３ａが形成され、該食い付き部１３ａ・１３ａが耕耘爪１３の挿入方向に略耕耘爪１３基部の長さに等しく形成されている。該食い付き部１３ａの平面視における長手方向の長さｍは、前記挿入孔１４ａのガイド溝１４ｂの長さＬより若干短く形成し、ガイド溝１４ｂ内に食い付き部１３ａが遊嵌される。
前記ホルダー１４に挿入した耕耘爪１３基部は、支持ピン１５を挿入することで、ホルダー１４内に枢支され、支持ピン１５を中心として、耕耘爪１３基部を傾かせて、食い付き部１３ａをホルダー１４自身の弾性力に抗して当接面１４ｃに食い込ませることで、耕耘爪１３を保持する構成としている。
【００１２】
そして、本発明において、前記耕耘爪１３基部の食い付き部１３ａの両側（図６の紙面上の上下端）をテーパ状に食い込み面１３ｂ・１３ｂが形成されている。該食い込み面１３ｂのテーパの角度は、断面形状を略長方形とする耕耘爪１３基部の長手方向を基準として、角度θに形成され、耕耘爪１３基部を挿入孔１４ａに挿入した際に、耕耘爪１３基部の食い込み面１３ｂと挿入孔１４ａの当接面１４ｃとが平行状に配置される。
また、前記耕耘爪１３基部の両端の食い込み面１３ｂ・１３ｂの間位置には、耕耘爪１３基部の長手方向と平行状の被ガイド部１３ｃ・１３ｃが形成され、耕耘爪１３基部の左右両側に突出する食い付き部１３ａ・１３ａの左右幅が狭く形成されている。
【００１３】
このように構成し、前記耕耘爪１３基部をホルダー１４に挿入若しくは抜脱するには、耕耘爪１３基部の食い付き部１３ａ・１３ａを挿入孔１４ａのガイド溝１４ｂ内に合わせると、食い付き部１３ａに被ガイド部１３ｃにより左右外側への突出量が減少されており、食い付き部１３ａがガイド溝１４ｂ内に干渉されることがなく、耕耘爪１３基部が円滑に挿入される。
そして、前記ホルダー１４側方より支持ピン１５を挿入し、耕耘爪１３基部を貫通させることで、耕耘爪１３基部がワンタッチで装着される。
【００１４】
そして、前記耕耘爪１３基部を、支持ピン１５を中心として挿入孔１４ａ内で回動させると、図７、図８に示すように、当接面１４ｃに食い込み面１３ｂが当接され、ホルダー１４の左右側面をホルダー１４の弾性力に抗して押し広げながら食い込まれ、ホルダー１４側の当接面１４ｃによって、食い込み面１３ｂに加えて中央部の被ガイド部１３ｃとを食い込ますことができ、図８に示す二点鎖線のように、当接面１４ｃとの接触面積が増加され、耕耘爪１３を低速度で駆動しても、耕耘爪１３基部が保持する姿勢が崩れることなく、安定して保持される。
【００１５】
【発明の効果】
本発明は、以上の如く構成したので、次のような効果を発揮するものである。
食い込み部１３ａは、長手方向の両側の前後位置に食い込み面１３ｂ・１３ｂを構成し、食い込み面１３ｂ・１３ｂの間の前後方向の中央部を、耕耘爪の長手方向と平行な被ガイド部１３ｃを構成し、前記食い込み面１３ｂのテーパの角度は、長手方向を基準として角度θに形成し、耕耘爪１３基部を挿入孔１４ａに挿入した際に、食い込み面１３ｂと当接面１４ｃとを平行状に構成し、前記食い込み部１３ａの平面視における長手方向の長さｍは、前記挿入孔１４ａのガイド溝１４ｂの長さＬより若干短く形成したので、食い込み面の間位置に平ら状の被ガイド部が形成され、耕耘爪の左右幅を狭く形成したことによって、耕耘爪を着脱する際に、耕耘爪基部を当接面に食い込ませずに、挿入孔の側面中央部に形成するガイド溝内に食い込み部を遊嵌することで、食い込み部を挿入孔に干渉させることなくなり、耕耘爪を容易に着脱させることができるのである。
【図面の簡単な説明】
【図１】  本発明の耕耘爪を配置したロータリ耕耘装置の平面図である。
【図２】    耕耘爪の側面図である。
【図３】    同じく平面図である。
【図４】  耕耘爪を保持するホルダーの側面図である。
【図５】    同じくホルダーの平面図である。
【図６】    本発明の耕耘爪基部の平面図である。
【図７】    ホルダーに挿入した耕耘爪基部を示す側面図部分断面図である。
【図８】    ホルダーに挿入した耕耘爪基部を示す部分平面図である。
【図９】    従来の耕耘爪の基部を示す側面図である。
【図１０】    ホルダーに挿入した従来の耕耘爪基部を示す側面図部分断面図である。
【図１１】    ホルダーに挿入した従来の耕耘爪基部を示す部分平面図である。
【符号の説明】
Ａ    ロータリ耕耘装置
１３  耕耘爪
１３ａ  食い込み部
１３ｂ  食い込み面
１３ｃ  被ガイド部
１４  ホルダー
１４ａ  挿入孔
１４ｂ  ガイド溝
１４ｃ  当接面
【図１】
0003722581.tif 000002
【図２】
0003722581.tif 000003
【図３】
0003722581.tif 000004
【図４】
0003722581.tif 000005
【図５】
0003722581.tif 000006
【図６】
0003722581.tif 000007
【図７】
0003722581.tif 000008
【図８】
0003722581.tif 000009
【図９】
0003722581.tif 000010
【図１０】
0003722581.tif 000011
【図１１】
0003722581.tif 000012